(57)【要約】【課題】コンテンツ再生中に、撮影時刻の重複するコンテンツを切り替えて提示すること。【解決手段】コンテンツ蓄積部１０７と検出部１１０と再生制御部１１２と入力部１１１と出力制御部１０８とを備えるコンテンツ再生装置１０６においてコンテンツ再生中に、再生しているコンテンツの撮影開始時刻と終了時刻を取得するステップ９０１と、コンテンツ蓄積部１０７に重複を確認するコンテンツがあるかを確認するステップ９０２と、コンテンツの撮影開始時刻と終了時刻を取得するステップ９０３と、重複を判断するステップ９０４と、重複情報を更新するステップ９０５により重複するコンテンツを検出し、検出したコンテンツをユーザに通知し、ユーザが再生しているコンテンツを切り替えることができる。【選択図】図１
2006260178.tif 000002
【特許請求の範囲】
【請求項１】
コンテンツを再生出力するコンテンツ再生装置であって、
再生対象のコンテンツを１つ以上蓄積するコンテンツ蓄積手段と、
前記コンテンツ蓄積手段に蓄積されているコンテンツを再生するコンテンツ再生制御手段と、
前記コンテンツ蓄積手段に蓄積されているコンテンツの中から、前記コンテンツ再生制御手段により再生中のコンテンツと関係のあるコンテンツを検出する検出手段と、
前記検出手段により得られた検出結果を出力する出力制御手段とを備えたことを特徴とするコンテンツ再生装置。
【請求項２】
前記再生制御手段は、前記検出手段により検出された関係のあるコンテンツに、再生対象のコンテンツを切り替えることを特徴とする請求項１記載のコンテンツ再生装置。
【請求項３】
前記検出手段は、前記コンテンツ再生制御手段により再生中のコンテンツと同じ撮影時刻に撮影されたコンテンツを、関係のあるコンテンツとして検出することを特徴とする請求項１記載のコンテンツ再生装置。
【請求項４】
コンテンツデータを受信し、前記コンテンツ蓄積手段に受信したコンテンツデータを蓄積処理する蓄積制御手段を有することを特徴とする請求項１記載のコンテンツ再生装置。
【請求項５】
前記蓄積制御手段は、コンテンツの撮影時刻と撮影時間とコンテンツとを対応させてコンテンツ蓄積手段に蓄積処理することを特徴とする請求項４記載のコンテンツ再生装置。
【請求項６】
コンテンツを再生出力するコンテンツ再生方法であって、
コンテンツを再生中に再生しているコンテンツに関係のあるコンテンツを検出する検出ステップと、
検出した関係のあるコンテンツの有無を出力する通知ステップと、
再生中のコンテンツを前記検出ステップで検出したコンテンツに切り替える切り替えステップとを有することを特徴とするコンテンツ再生方法。
【請求項７】
前記検出ステップは、再生中のコンテンツと撮影時刻の重複するコンテンツを検出することを特徴とする請求項６記載のコンテンツ再生方法。
【請求項８】
前記切り替えステップは、切り替える前のコンテンツの再生位置と切り替えた後のコンテンツの再生位置の撮影時刻が等しいことを特徴とする請求項６記載のコンテンツ再生方法。
【請求項９】
前記通知ステップは、再生中のコンテンツを出力している画面内に、検出を示す静止画または動画を表示させることを特徴とする請求項６記載のコンテンツ再生方法。
【請求項１０】
前記検出ステップで検出したコンテンツが静止画である場合、前記通知ステップは、再生中のコンテンツを出力している画面内に、前記検出した静止画を表示させることを特徴とする請求項６記載のコンテンツ再生方法。
【発明の詳細な説明】
【技術分野】
【０００１】
本発明は、動画や静止画や音声等のコンテンツの再生に関し、特に、複数コンテンツを連携して再生するコンテンツ再生装置に関するものである。
【背景技術】
【０００２】
従来、複数または複数種類のコンテンツの再生方法としては、同じシーンを撮影した複数の静止画と複数の動画がある場合に、再生候補の複数のコンテンツ（静止画および動画）の一覧を表示し、その一覧から再生対象のコンテンツを選択指定して再生開始するものがあった。このコンテンツの一覧の表示方法として、静止画を動画のインデックスとして、一覧でサムネイル表示して見せるものがあった（例えば、特許文献１参照）。
【特許文献１】特開２００２−１５８９４８号公報
【発明の開示】
【発明が解決しようとする課題】
【０００３】
しかしながら、前記従来の再生方法では再生候補のコンテンツの一覧表示を行うことで、一覧の中から動画や静止画といったコンテンツを指定して再生することはできるが、１つのコンテンツを再生中に同時刻に撮影されたような関連するコンテンツがあることがユーザにわからず、再生中に関連するコンテンツに簡単に切り替えることができないという問題があった。
【０００４】
本発明は、前記従来の問題を解決するもので、コンテンツの再生中に、複数あるコンテンツの中から、関連するコンテンツとして同時刻に撮影されたコンテンツの有無を検出し、結果をユーザに対して通知し、容易にコンテンツ再生の表示を切り替えるコンテンツ再生装置及びコンテンツ再生方法を提供することを目的とする。
【課題を解決するための手段】
【０００５】
前記従来の課題を解決するために、本発明のコンテンツ再生装置は、コンテンツを再生出力するコンテンツ再生装置であって、再生対象のコンテンツを１つ以上蓄積するコンテンツ蓄積手段と、前記コンテンツ蓄積手段に蓄積されているコンテンツを再生するコンテンツ再生制御手段と、前記コンテンツ蓄積手段に蓄積されているコンテンツの中から、前記コンテンツ再生制御手段により再生中のコンテンツと関係のあるコンテンツを検出する検出手段と、前記検出手段により得られた検出結果を出力する出力制御手段とを備えたことを特徴とする。
【０００６】
また、本発明のコンテンツ再生装置は、前記再生制御手段は、前記検出手段により検出された関係のあるコンテンツに、再生対象のコンテンツを切り替えることを特徴とする。
【０００７】
本構成によって、コンテンツ再生中に、再生しているコンテンツと同時刻に撮影された動画または静止画または音声といったコンテンツがあることを通知し、再生中のコンテンツを簡単に切り替えることができる。
【発明の効果】
【０００８】
本発明のコンテンツ再生方法によれば、コンテンツを再生中に、再生しているコンテンツと同時刻に撮影された動画または静止画または音声といったコンテンツがあることを通知し、再生中のコンテンツを簡単に切り替えることができる。
【発明を実施するための最良の形態】
【０００９】
以下、本発明の実施の形態について、図面を参照しながら説明する。
【００１０】
図１は、本発明の実施の形態におけるコンテンツ再生装置を備えたシステムの構成図である。
【００１１】
図１において、デジタルカメラ１０１とデジタルビデオカメラ１０３はコンテンツを撮影する装置であり、それぞれ静止画、動画、音声等のコンテンツを撮影する機能を有する。コンテンツ再生装置１０６は、コンテンツを再生する装置である。撮影装置であるデジタルカメラ１０１またはデジタルビデオカメラ１０３は、ＵＳＢケーブル、１３９４ケーブル、インターネット等既存の接続手段によりコンテンツ再生装置１０６と接続しており、撮影したコンテンツをコンテンツ再生装置１０６に送信する。コンテンツ再生装置１０６は、撮影装置から受け取ったコンテンツを再生処理して、出力装置１１３に出力する。出力装置１１３は、コンテンツ再生装置１０６からの出力を受け取ってコンテンツの再生表示を行なう。出力装置１１３は、静止画や動画を表示可能なＣＲＴやＬＣＤなどのディスプレイや、音声が音楽などの音を出力可能なスピーカーなどを備えた装置である。
【００１２】
次に、コンテンツ再生装置１０６の内部構成について説明する。
【００１３】
蓄積制御部１０９は、ＵＳＢケーブル、１３９４ケーブル、シリアルケーブル等の接続を検知し、接続された撮影装置（１０１、１０３）から送られてくるコンテンツを受信して、コンテンツ蓄積部１０７に蓄積処理する機能を有する。また、コンテンツ蓄積部１０７のコンテンツは撮影装置とのケーブルを介した接続でのみではなく、コンテンツを記録したメディアを介して取得してもよい。この場合、蓄積制御部１０９は、メディアからコンテンツを読み込む機能を有することになる。
【００１４】
コンテンツ蓄積部１０７は、再生対象のコンテンツを蓄積保持する機能を有する。コンテンツ蓄積部１０７は、ハードディスクやメモリ等、コンテンツ再生装置１０６に内蔵として構成してもよいし、または、コンテンツを記録したＤＶＤ−ＲＡＭ、ＤＶＤ−Ｒ、ＤＶＤ−ＲＷといったリムーバブルなメディアで構成してもよい。
【００１５】
入力部１１１は、ユーザからどのコンテンツを再生するかの入力を受け、再生制御部１１２と検出部１１０に通知する機能を有する。
【００１６】
再生制御部１１２は、コンテンツ蓄積部１０７にある複数のコンテンツの中から、ユーザが入力部１１１により指定したコンテンツを取得して再生データを生成し、出力制御部１０８に送信する。
【００１７】
出力制御部１０８は、再生制御部１１２から受け取った再生データを出力装置１１３に出力することで、コンテンツの再生表示を行なう。
【００１８】
検出部１１０は、再生制御部１１２が再生しているコンテンツと同じ撮影時刻に撮影されたコンテンツを、コンテンツ蓄積部１０７から検出する機能を有する。また検出部１１０は、検出した結果として、コンテンツを識別するＩＤと重複する時刻の情報（重複情報）を再生制御部１１２に通知する機能を有する。
【００１９】
また、再生制御部１１２は、検出部１１０から取得した重複情報を、出力制御部１０８を介して出力装置１１３に出力してユーザに通知する機能を有する。この重複情報の出力の一例として、検出されたコンテンツの撮影時刻と、現在再生しているコンテンツの撮影時刻が重複するタイミングで、重複情報を出力装置１１３に出力する。
【００２０】
次に、図２、図３、図４を用いて、デジタルビデオカメラ１０３で撮影したコンテンツをコンテンツ蓄積部１０７に転送する仕組みについて説明する。図２、図３、図４において、図１と同じ構成要素については同じ符号を用い、説明を省略する。図２は図１の転送に関係する部分を抜き出した図である。
【００２１】
コンテンツ蓄積部１０７は、前述した通り、再生対象のコンテンツを蓄積保持している。図２に示した通り、１つ以上の再生対象のコンテンツデータ（ＭＰＥＧコンテンツ２０１）と、このコンテンツデータを管理するためのコンテンツ情報テーブル２０２とを記憶している。コンテンツ情報テーブル２０２は、詳細は図４を用いて後述する。また、蓄積制御部１０９は、デジタルビデオカメラ１０３から送られてくるコンテンツデータ（デジタルビデオ（ＤＶ）フォーマット）を受け取り、ＤＶフォーマット解析部２０３が、コンテンツ蓄積部１０７に蓄積可能なフォーマットへの処理を行い、コンテンツ蓄積部１０７への蓄積処理を行う。ＤＶフォーマット解析部２０３の処理については、図３と図４を用いて、具体的に説明する。
【００２２】
図３はデジタルビデオカメラ１０３に挿入されているＤＶテープの内容がどのように録画・録画停止を繰り返されているかを示す図である。図３に示すＤＶテープでは、全部で記録可能な長さは９０分である。図３のコンテンツ（１）はテープの始端から２００４年７月２５日の１０：２０に録画開始し、同１０：４５までの２５分間の映像が撮影されていることを示している。同様に、コンテンツ（２）には２００４年７月２５日の１１：００から１１：２５までの映像が撮影されており、コンテンツ（３）には、２００４年７月２６日の１０：２５から１０：４５までの映像が撮影されている。コンテンツ（４）には２０００年４月１０日の１０：０５から１０：２５までの映像が撮影されていることを示す。また、ここで、コンテンツ（１）と、コンテンツ（３）の先頭部分には、シーンの変わり目を示すＩＮＤＥＸ情報が記録されている。このＩＮＤＥＸ情報はシーンの切り替わりを示すものであり、映像の切り替わりを示すものではない。ＩＮＤＥＸ情報とは別に、ＤＶテープ上には録画開始・停止の時に、コンテンツの区切りを示す情報が記録されている。
【００２３】
図４はコンテンツ蓄積部１０７に記録されるコンテンツ情報テーブル２０２とＭＰＥＧコンテンツ２０１との一例を示す図である。ＭＰＥＧコンテンツ２０１として、４個のコンテンツデータ（Ｍｐｅｇ２コンテンツ（１）、Ｍｐｅｇ２コンテンツ（２）、Ｍｐｅｇ２コンテンツ（３）、Ｍｐｅｇ２コンテンツ（４））が格納されているものとする。コンテンツ情報テーブル２０２は、これら各コンテンツデータに対し、コンテンツを識別するＩＤ（ファイル名）と撮影日時（撮影開始時刻と撮影終了時刻）との対応付けを管理している。また、コンテンツデータがＭｐｅｇ２フォーマットである場合、ＭＰＥＧ２のファイルにはコンテンツの長さを示す情報があるため、撮影開始時間を記憶しておくことで、撮影終了時刻を保持しなくてもよい。また、ＩＤとしてファイル名を用いたが、各コンテンツが識別可能であれば、コンテンツデータの撮影開始時刻や、コンテンツデータの格納アドレスなどもよい。この図４のＭｐｅｇ２コンテンツ（１）は、図３のコンテンツ（１）とフォーマットは違うが、同じ映像のコンテンツである。同様に、図４のＭｐｅｇ２コンテンツ（２）は図３のコンテンツ（２）と、図４のＭｐｅｇ２コンテンツ（３）は図３のコンテンツ（３）と、図４のＭｐｅｇ２コンテンツ（４）は図３のコンテンツ（４）がそれぞれ同じ映像のコンテンツである。
【００２４】
このデジタルビデオカメラ１０３と蓄積制御部１０９との接続方法は、ＤＶフォーマットが送信することができるならば、ＥＴＨＥＲＮＥＴ（登録商標）、１３９４ケーブル、シリアルケーブル、ＵＳＢケーブルのどれでもよい。今回はデジタルビデオカメラ１０３が１３９４ケーブルでのコンテンツの送信に対応しているとする。デジタルビデオカメラ１０３と蓄積制御部１０９が接続された後、デジタルビデオカメラ１０３の再生操作により、デジタルビデオカメラ１０３から蓄積制御部１０９にコンテンツが送信される。蓄積制御部１０９では、受信したＤＶフォーマットの映像を、ＤＶフォーマット解析部２０３においてコンテンツの区切りを解析する。コンテンツの区切りが見つかった場合には、別のＭＰＥＧコンテンツとして、コンテンツ蓄積部１０７内に、ファイルを作成する。これにより、コンテンツ蓄積部１０７にコンテンツ（１）からコンテンツ（４）までの４個のＭｐｅｇコンテンツが蓄積されることになる。また、同時にＭＰＥＧでは録画開始・停止時刻の情報が存在しないため、コンテンツ蓄積部１０７内に、コンテンツ情報テーブル２０２を生成し、コンテンツ情報テーブル２０２において、コンテンツを識別するＩＤとコンテンツの撮影日時とコンテンツの対応付けを管理する。また、デジタルビデオカメラ１０３の記憶媒体がＤＶテープではなく、ＣＤ−Ｒ、ＣＤ−ＲＷ、ＤＶＤ−Ｒ、ＤＶＤ−ＲＡＭ，ＤＶＤ−ＲＷ、ＳＤメモリ、リムーバブルハードディスク等のランダムアクセスが可能なリムーバブルメディアの場合には、ケーブル接続ではなく、メディアを直接読み込ませることで、転送処理を省略することができる。これらのファイルシステムを持ったメディアではコンテンツの作成時刻として撮影開始時刻があり、コンテンツの撮影終了時刻はコンテンツの長さと撮影開始時刻から算出できる。
【００２５】
次に、蓄積された複数のコンテンツの中からユーザ操作により、コンテンツを指定して再生する方法について図１、図５を用いて説明する。
【００２６】
図５は、コンテンツ蓄積部１０７に蓄積されているコンテンツの撮影開始時刻と撮影終了時刻とを示すイメージ図である。図５において、コンテンツ１（５０１）、コンテンツ２（５０２）、コンテンツ３（５０３）は、動画を示しており、コンテンツ４（５０４）は、静止画を示している。図中の５０１は、コンテンツ１が時刻ｔ２に撮影を開始し、時刻ｔ５に撮影を終了したコンテンツであることを示している。同様に、５０２は、コンテンツ２の撮影開始時刻はｔ４、撮影終了時刻はｔ６であり、５０３は、コンテンツ３の撮影開始時刻はｔ１、撮影終了時刻はｔ３であることを示している。また、５０４は、コンテンツ４が時刻ｔ６に撮影されたことを示している。
【００２７】
コンテンツ蓄積部１０７にあるコンテンツの一覧を、出力装置１１３に出力表示する手順は、次の通りである。ユーザは、入力部１１１に対して、コンテンツの一覧を表示する指示を出す。入力部１１１は、このユーザの指示を受け、再生制御部１１２に対して、コンテンツ一覧の出力指示を出す。再生制御部１１２は、コンテンツ一覧の出力指示を受けると、コンテンツ蓄積部１０７に対して、コンテンツ一覧取得の要求を出す。コンテンツ蓄積部１０７は、一覧取得の要求を受けると、内部で管理しているコンテンツの一覧を取得し、取得した一覧を再生制御部１１２に返す。再生制御部１１２は、コンテンツ蓄積部１０７からコンテンツの一覧の応答を受けとると、出力制御部１０８に対して、出力の指示を行う。これにより、コンテンツ再生装置１０６は、内部に蓄積したコンテンツの一覧を出力装置１１３に出力表示することができる。
【００２８】
ここで、図６、図７を使用して、一覧表示の画面の一例について説明する。図６は動画、図７は静止画のコンテンツの一覧表示画面である。図６、７は、出力制御部１０８により出力装置１１３に表示される。図６、図７で同じものは、同じ番号を使用して説明を省略する。６０１は出力装置１１３の画面の表示領域を示す。６０２は画面内に描画されているコンテンツ一覧の表で、日時、タイトル、時間の項目がコンテンツごとに表示されていることを示す。日時ｔ１に撮影されたコンテンツ３はｔ３−ｔ１の時間の映像であることを示す。同様に、コンテンツ１の撮影日時はｔ２で時間はｔ５−ｔ２であり、コンテンツ２の撮影日時はｔ４で時間はｔ６−ｔ４である。フォーカス６０３（太線で囲まれた部分）は、一覧でユーザが指定している場所（コンテンツ）を示し、ユーザに対して、どれを指定しているかが認識できるよう表示している。ユーザは、入力部１１１からフォーカス６０３を移動させる操作を入力することで、希望するコンテンツを指定する。６０４は、動画の一覧を表示していることを示すタブである。図６、図７に示す一覧表示では、コンテンツ蓄積部１０７の中のコンテンツを動画・静止画・音声の３種類に分けて表示している。図６は動画コンテンツの一覧画面を示し、ユーザの操作により６０４のタブから６０５のタブへ表示を切り替えると、図７の静止画一覧の画面に切り替わる。７０１は静止画コンテンツの一覧画面を示し、動画と違い時間の情報は無い。
【００２９】
ユーザは、図６の動画一覧を見て、入力部１１１に対して再生希望するコンテンツ（ここでは、コンテンツ３とする）の再生指示を行う。入力部１１１は、再生指示の入力を受けると、出力制御部１０８に現在指定されているコンテンツを問い合わせ、再生制御部１１２に対して現在指定されているコンテンツ３の再生指示の命令を送る。再生制御部１１２は、コンテンツ３の再生指示を受けると、コンテンツ蓄積部１０７からコンテンツ３のデータを読み込み、デコード処理を行って、出力制御部１０８に対してデコードした映像を送る。また、再生制御部１１２は、コンテンツ名やコンテンツの長さといった、コンテンツの情報を読み込み、出力制御部１０８に対して送信する。出力制御部１０８では、デコードされたコンテンツ３の映像と、コンテンツ３のコンテンツ名や長さの情報を受け取ると、出力装置１１３に対して映像の表示を行う。
【００３０】
ここで図８を用いて、出力装置１１３に表示される画面について説明する。図８はコンテンツ３再生中の出力画面を示している。図８において図６と同じものは同じ番号を使用して説明を省略する。８０１はコンテンツ名である。８０２はコンテンツの再生状態を示し、再生していることをユーザに認識させている。８０３は現在再生している映像が撮影された日時を示している。ＭＰＥＧ２では撮影時刻の情報は無いが、撮影開始時刻とコンテンツの先頭を基準とした再生時間の情報から算出できる。撮影開始時刻は、コンテンツ蓄積部１０７内のコンテンツ情報テーブル２０２により保持されている。８０４の帯は再生中のコンテンツの全体の時間を示している。８０５のバーは、全体の時間に対して、現在どの位置を再生しているかを示している。再生開始した直後であれば８０４の帯内の左側に位置し、コンテンツの最後付近を再生しているときは、８０４の帯内の右側に位置する。
【００３１】
入力部１１１は、コンテンツ３の再生指示を再生制御部１１２に出した後、検出部１１０に対してコンテンツ３の撮影時刻と重複するコンテンツの検出指示をだす。検出部１１０は、検出指示を受けると、コンテンツ蓄積部１０７に対して、コンテンツ情報テーブル２０２の取得要求を出す。検出部１１０は、２０２コンテンツ情報テーブルを取得すると、コンテンツ３と重複するコンテンツの検出を開始する。検出アルゴリズムに関しては、後に説明する。
【００３２】
検出部１１０は、重複するコンテンツが見つかった場合、重複するコンテンツ名と重複開始時刻と重複終了時刻を取得する。なお、コンテンツ名はコンテンツを一意に識別できるものであればよいので、ファイル識別子などで管理してもよく、その場合はコンテンツ蓄積部１０７がファイル識別子でコンテンツの管理を行う。
【００３３】
コンテンツ蓄積部１０７に図５、図６、図７に示すようなコンテンツがある場合において、コンテンツ３を再生しようとすると、検出部１１０は、５０３のコンテンツと重複する５０１コンテンツのコンテンツ名「コンテンツ１」とその重複開始時刻「ｔ２」と重複終了時刻「ｔ３」を得る。コンテンツ３−５０２を再生中に時刻ｔ２の再生を開始した時点で、ユーザに対して、重複を通知する。
【００３４】
ここで、図１０を利用して重複するコンテンツの存在を通知する手段について説明する。図１０はユーザに対して重複するコンテンツがあることを通知する画面のイメージ図である。図１０の通知手段としては、画面上６０１に星のマーク１００１を出すことで通知している。なお、星のマーク１００１はどんな記号でもよく、キャラクターなどの画像でもよい。
【００３５】
また、重複をユーザに通知する手段として図１１に示すように、重複映像を画面内の一部の領域で縮小再生してもよい。
【００３６】
また、図５の５０２コンテンツ２を再生中に、ｔ６の撮影時刻に記録した時点になった場合など、重複するコンテンツが静止画の場合には、図１２に示すように６０１画面上に静止画のサムネイルを描画してもよい。
【００３７】
また、重複するコンテンツが静止画の場合には、撮影時刻の前後に幅を持たせることで、擬似的に重複時間が撮影時刻の一瞬ではないように見せてもよい。
【００３８】
前記の通知手段により、ユーザが撮影時刻の重複するコンテンツがあるという画面上の指示を受けた場合、ユーザは入力部１１１を介して重複するコンテンツの方に画面を切り替える操作ができる。
【００３９】
図１３はコンテンツ再生中にユーザ操作により再生しているコンテンツを切り替える方法を示す流れ図である。
【００４０】
コンテンツ再生装置１０６のブロックを示す図１と、コンテンツ再生装置１０６のコンテンツ蓄積部１０７に蓄積されるコンテンツを示す図５と、切り替えの流れを示す図１３を用いて、コンテンツ再生中に再生コンテンツを切り替える処理について説明する。
【００４１】
流れ図のＳＴＡＲＴ状態では、コンテンツ再生装置１０６のコンテンツ蓄積部１０７にあるコンテンツ３（５０３）を再生制御部１１２により再生中であるとする。
【００４２】
まずステップ１４０１において、検出部１１０は再生中のコンテンツ３（５０３）と撮影時刻の重複するコンテンツで、かつ重複の開始時刻の一番早いものをコンテンツ蓄積部１０７から検出する。複数ある場合はすべて検出する。図５に示すとおり、再生中のコンテンツ３（５０３）と撮影時刻の重複するコンテンツとしては、コンテンツ１（５０１）があり、その重複期間は時刻ｔ２からｔ３である。
【００４３】
次にステップ１４０２において、重複コンテンツがあるかにより分岐する。今回の場合、重複コンテンツとしてコンテンツ１（５０１）が検出されているので、ステップ１４０３に進む。
【００４４】
次にステップ１４０３において、再生制御部１１２は重複開始時刻ｔ２までコンテンツ３の再生を行う。
【００４５】
次にステップ１４０４において、再生制御部１１２は出力制御部１０８を介してユーザに重複コンテンツがあることを通知する。
【００４６】
なお、前のステップ１４０３において、検出部１１０が検出結果としてコンテンツ１（５０１）と、重複開始時刻ｔ２、重複終了時刻ｔ３を再生制御部１１２に通知しておくことで、再生制御部１１２はｔ２の再生と同時にユーザに重複するコンテンツがあることを通知することができるので、前もって再生制御部１１２に通知しておいてもよい。
【００４７】
次に、ステップ１４０５において、入力部１１１はユーザ指示を受け付け、指示があったかどうかにより分岐する。ユーザがコンテンツ１へ切り替える操作をしない場合には、ステップ１４０７に進み、再生制御部１１２はコンテンツ３を最後まで再生して終了する。
【００４８】
一方、ステップ１４０５において、ユーザが操作をした場合には、ステップ１４０６に進む。ステップ１４０６において、再生制御部１１２は再生しているコンテンツをコンテンツ３からコンテンツ１へと切り替える。
【００４９】
再生しているコンテンツがコンテンツ１（５０１）に変わった後は、上記ステップ１４０１からステップ１４０６を繰り返すことにより、撮影時刻の重複するコンテンツの重複する区間においてコンテンツを自由に切り替えることが可能となる。
【００５０】
図１４はコンテンツ再生中にユーザ操作なしに再生しているコンテンツを切り替える方法を示す流れ図である。
【００５１】
コンテンツ再生装置１０６のブロックを示す図１と、コンテンツ再生装置１０６のコンテンツ蓄積部１０７に蓄積されるコンテンツを示す図５と、切り替えの流れを示す図１４を用いて、コンテンツ再生中に再生コンテンツを切り替える処理について説明する。
【００５２】
図１４の流れ図におけるＳＴＡＲＴ状態では、コンテンツ再生装置１０６のコンテンツ蓄積部１０７にあるコンテンツ３（５０３）を再生制御部１１２により再生中であるとする。また、コンテンツ再生する際の優先度を高いほうから順に、コンテンツ４、コンテンツ１、コンテンツ２、コンテンツ３と決まっているとする。コンテンツ再生の優先度はコンテンツ蓄積部で管理しておく。ここで、優先度はユーザがコンテンツ再生装置にコンテンツを蓄積する際に、ユーザが前もって個別に指定しておいてもよい。また、検出部１１０は次に切り替えるコンテンツの名前を保持する機能を有している。
【００５３】
まずステップ１５０１において、検出部１１０は次に切り替えるコンテンツの名前を初期化する。なお、今回はコンテンツ名でコンテンツを識別しているが、コンテンツを識別することができればよいので、コンテンツ蓄積部１０７で管理するＩＤなどの番号でもよい。
【００５４】
次にステップ１５０２において、検出部１１０はコンテンツ蓄積部１０７内にあるコンテンツの中に比較するコンテンツがあるか確認する。コンテンツ蓄積部１０７内に、再生しているコンテンツしかない場合や、すでに比較したコンテンツしかない場合はステップ１５０６に進む。
【００５５】
今回の場合、検出部１１０はステップ１５０２において、コンテンツ１を比較対象として選び、コンテンツがあるためステップ１５０３に進む。
【００５６】
次にステップ１５０３において、コンテンツ１が再生しているコンテンツ３と重複しているかの確認処理を行う。図５に示すとおりコンテンツ３はコンテンツ１と時刻ｔ２から時刻３の区間で重複しているので、ステップ１５０４において重複ありと判断されて、ステップ１５０５に進む。重複がなければステップ１５０２に進み、蓄積制御部１０７にコンテンツがある限り、コンテンツの重複を検出する処理を続ける。
【００５７】
次にステップ１５０５において、切り替えるコンテンツの名前を更新する。この時点で切り替えコンテンツは無いので、検出部１１０は新たにコンテンツ１の名前を次に切り替えるコンテンツとして保持する。すでに次に切り替えるコンテンツがある場合は下記の３つの判断により優先度の更新を行う。
【００５８】
現在再生中のコンテンツよりも、保持している切り替えるコンテンツと、新たに見つけたコンテンツの２つとも優先度が高ければ、重複開始時刻の早いほうを保持する。
【００５９】
現在再生中のコンテンツよりも、保持している切り替えるコンテンツと、新たに見つけたコンテンツのどちらか一方の優先度が高ければ、優先度の高いものを保持する。
【００６０】
現在再生中のコンテンツよりも、保持している切り替えるコンテンツと、新たに見つけたコンテンツの２つとも優先度が低ければ、それらのなかで優先度の高いものを保持する。
【００６１】
検出部１１０は上記のステップ１５０２からステップ１５０５の処理をコンテンツ蓄積部にコンテンツがある限り繰り返し、次に切り替えるコンテンツを見つける。
【００６２】
今回はコンテンツ２、コンテンツ４はコンテンツ３と重複しないので、検出部１１０は、コンテンツ１を次に切り替えるコンテンツとして保持した状態でステップ１５０６に進む。
【００６３】
次にステップ１５０６において、切り替えるコンテンツがあるかにより分岐する。今回はコンテンツ１が切り替えるコンテンツとして保持されているので、ステップ１５０７に進む。ない場合はステップ１５１１に進み現在のコンテンツを最後まで再生して終了する。
【００６４】
次にステップ１５０７において、再生しているコンテンツ３の優先度より次に切り替えるコンテンツ１の優先度の方が高いか否かの判断により分岐する。今回の場合にはコンテンツ１の優先度の方が高いためステップ１５０８に進む。
【００６５】
ステップ１５０８では、現在のコンテンツを切替位置であるｔ２まで再生する。一方ステップ１５０７において、対象の優先度の方が低ければ、ステップ１５０９に進む。ステップ１５０９において、現在のコンテンツを最後まで再生したらステップ１５１０に進む。
【００６６】
ステップ１５１０において、再生制御部１１２は再生コンテンツを切り替える。今回の場合、再生制御部１１２は、ステップ１５０８においてコンテンツ３の撮影時刻ｔ２の位置まで再生した後に、ステップ１５１０において、コンテンツ１のｔ２の位置からの再生に切り替える。
【００６７】
ステップ１５１０を終了すると、ステップ１５０１に戻り、コンテンツ１を再生中という条件でステップ１５０１からステップ１５１０を繰り返すことにより自動的に優先度の高いコンテンツに切り替わりつつ再生することが可能となる。
【００６８】
実際に図１４に示す流れ図に従い図５のコンテンツの再生を行うと、最初にコンテンツ３をｔ１からｔ２の間再生した後に、コンテンツ１のｔ２からｔ５まで再生し、その後にコンテンツ２をｔ５からｔ６まで再生する。さらにｔ６の時点でコンテンツ４を再生し、再生終了後にコンテンツ２の再生に戻り、時刻ｔ７に再生を終了するようになる。
【００６９】
なお、今回コンテンツを再生する優先度の決定は転送時にユーザが明示的にしておくという前提であったが、コンテンツ再生装置にコンテンツを転送する段階などで、転送もとの機器情報から自動で優先度をつけることにより、個別につける手間をなくすことができる。具体的には、転送元の機器がデジタルであれば優先度１、アナログであれば２といったように指定してもよい。
【００７０】
また、コンテンツ再生装置内で再生された回数をカウントしておき、その回数の多いものを高優先度として設定してもよい。
【００７１】
また、静止画と動画がある場合に、静止画は撮影者の意図したシーンであるため、静止画があれば常に静止画を優先する、または図１２に示すように子画面で表示するというように静止画の優先度を最高にしておくことで、ユーザの意図したシーンをもれなく表示することも可能となる。
【００７２】
なお、自動的に再生するコンテンツを優先度にしたがって切り替える方法において、関係のあるコンテンツの例として撮影時刻の重複するものに関する説明を行ったが、撮影時刻の一番近いコンテンツを関係のあるコンテンツとしてもよい。図１５はコンテンツ蓄積部で管理されるコンテンツの録画開始・終了時刻の関係を示す図である。この図１５に示す３つのコンテンツがコンテンツ蓄積部内にある場合、コンテンツ１２を再生し始めたときに、コンテンツ１２と関係のあるコンテンツとして重複コンテンツがなければ、コンテンツ１０を関係のあるコンテンツとして認識し、コンテンツ１２の再生終了後にコンテンツ１０の再生に切り替える処理を行ってもよい。
【００７３】
なお、今回はユーザの操作により切り替える方法と優先度にしたがって自動で切り替わる方法を別々に説明したが組み合わせてもよく、優先度を可変とし、ユーザの操作により再生に切り替えられたコンテンツの優先度を最高とし、ユーザ操作がない限りは自動的に切り替わる方法に従い連続再生を行うようにしてもよい。
【００７４】
次に、図９を用いて重複コンテンツの検出方法について説明する。図９は重複コンテンツの検出フローを示す図である。
【００７５】
まずステップ９００において、再生しているコンテンツと撮影時刻が重複するコンテンツのコンテンツ名と重複開始時刻を有する重複情報の初期化を行う。次にステップ９０１において、検出部１１０は、コンテンツ蓄積部１０７からコンテンツ情報テーブル２０２を取得する。検出部１１０は取得したコンテンツ情報テーブル２０２から再生の指示を受けたコンテンツの録画開始時刻Ｔｏ＿ｓｔａｒｔと終了時刻Ｔｏ＿ｅｎｄを取得する。次に、ステップ９０２において、コンテンツ蓄積部１０７にコンテンツが他にあるかを確認する。コンテンツ蓄積部１０７に再生するコンテンツ以外なければ、検出処理はここで終了する。比較するコンテンツがあれば、ステップ９０３において、コンテンツ情報テーブル２０２から比較するコンテンツの録画時刻Ｔｉ＿ｓｔａｒｔと終了時刻Ｔｉ＿ｅｎｄを取得する。次に、ステップ９０４において、この比較するコンテンツが再生するコンテンツと重複しているかどうかを調べる。具体的には、Ｔｉ＿ｓｔａｒｔがＴｏ＿ｓｔａｒｔより早く、かつ、Ｔｏ＿ｅｎｄがＴｉ＿ｅｎｄより早い場合と、Ｔｉ＿ｓｔａｒｔがＴｏ＿ｓｔａｒｔとＴｏ＿ｅｎｄの間にある場合と、Ｔｉ＿ｅｎｄがＴｏ＿ｓｔａｒｔとＴｏ＿ｅｎｄの間にある場合のいずれかであれば、どこかで重複していることが分かる。この重複確認の条件が成り立つ場合には、ステップ９０５に移行し、検出部１１０は、比較したコンテンツのコンテンツ名と重複開始時刻を記憶する。既にコンテンツ名と重複開始時刻が記憶されていれば、重複開始時刻の早いほうを記憶しておく。同じ場合は複数記憶する。次にステップ９０２において、コンテンツがあるかの確認を行い、９０２、９０３、９０４のステップをコンテンツ蓄積部１０７で管理されているコンテンツの数だけ繰り返す。一方、ステップ９０４において、比較したコンテンツが重複していない場合には、ステップ９０２へ移行し、コンテンツがあるかの確認を行う。前記方法により、検出部に重複情報が生成できる。
【００７６】
以上により、コンテンツを再生中に、再生しているコンテンツと同時刻に撮影された動画または静止画または音声といったコンテンツがあることをユーザに通知し、ユーザによる切り替え操作や、優先度などに基づいた自動切り替えにより、再生中のコンテンツを簡単に切り替えることが可能となる。
【産業上の利用可能性】
【００７７】
本発明にかかるコンテンツ再生装置およびコンテンツ再生方法は、コンテンツ再生時の複数のコンテンツの連係表示機能を有し、動画コンテンツや静止画コンテンツの再生機能を有するＡＶ機器等として有用である。また、コンテンツの再生機能を有する情報機器や携帯端末や車載機器等の用途にも応用できる。
【図面の簡単な説明】
【００７８】
【図１】本発明の実施の形態におけるコンテンツ再生装置の構成図
【図２】本発明の実施の形態におけるコンテンツ再生装置のコンテンツ蓄積部と蓄積制御部の詳細図
【図３】ＤＶテープのコンテンツ記録イメージ図
【図４】コンテンツ蓄積部で管理されるコンテンツの情報の一例を示す図
【図５】コンテンツ蓄積部で管理されるコンテンツの録画開始・終了時刻の関係を示す図
【図６】出力装置に表示される、コンテンツ蓄積部に蓄えられるコンテンツの一覧画面を示す図
【図７】出力装置に表示される、コンテンツ蓄積部に蓄えられるコンテンツの一覧画面を示す図
【図８】出力装置に表示される、コンテンツの再生画面を示す図
【図９】本発明の実施の形態におけるコンテンツ再生装置の重複コンテンツの検出処理の流れの一例を示すフローチャート
【図１０】出力装置に表示される、重複コンテンツがあることをユーザに示すための画面を示す図
【図１１】出力装置に表示される、重複コンテンツがあることをユーザに示すための画面を示す図
【図１２】出力装置に表示される、重複コンテンツがあることをユーザに示すための画面を示す図
【図１３】本発明の実施の形態におけるコンテンツ再生装置のコンテンツ再生中に再生しているコンテンツを切り替える処理の流れの一例を示すフローチャート
【図１４】本発明の実施の形態におけるコンテンツ再生装置のコンテンツ再生中に再生しているコンテンツを切り替える処理の流れの一例を示すフローチャート
【図１５】コンテンツ蓄積部で管理されるコンテンツの録画開始・終了時刻の関係を示す図
【符号の説明】
【００７９】
１０１    デジタルカメラ
１０３    デジタルビデオカメラ
１０６    コンテンツ再生装置
１０７    コンテンツ蓄積部
１０８    出力制御部
１０９    蓄積制御部
１１０    検出部
１１１    入力部
１１２    再生制御部
１１３    出力装置
２０１    ＭＰＥＧコンテンツ
２０２    コンテンツ情報テーブル
２０３    ＤＶフォーマット解析部
【図１】
2006260178.tif 000003
【図２】
2006260178.tif 000004
【図３】
2006260178.tif 000005
【図４】
2006260178.tif 000006
【図５】
2006260178.tif 000007
【図６】
2006260178.tif 000008
【図７】
2006260178.tif 000009
【図８】
2006260178.tif 000010
【図９】
2006260178.tif 000011
【図１０】
2006260178.tif 000012
【図１１】
2006260178.tif 000013
【図１２】
2006260178.tif 000014
【図１３】
2006260178.tif 000015
【図１４】
2006260178.tif 000016
【図１５】
2006260178.tif 000017